(57)【特許請求の範囲】
【請求項１】
端部付近が軸支されて回動自在に保持された第１部材と、
該第１部材の端部に当接して前記第１部材を所定の角度で保持する第２部材と、
からなり、
前記当接部は前記第１部材に固定された傾斜辺を有するブロックと前記第２部材に固定された傾斜辺を有するストッパで構成され、
前記ストッパとブロックは傾斜辺を合わせたときに対向する他方の辺が平行となるように形成され、
前記第１部材と第２部材の当接部の少なくとも一方をスライドさせ、前記ストッパとブロックの前記平行面の距離を変化させることにより前記所定の角度を可変としたことを特徴とする角度調節機構。
【発明の詳細な説明】
【技術分野】
【０００１】
本発明は、例えばＬＣＤテスタの収納型キーボード部の角度調節機構に関し、狭いスペース内での調節と角度調節の作業性の改善を図った角度調節機構に関すものである。
【背景技術】
【０００２】
図３（ａ）はＬＣＤテスタの収納型キーボード部の角度調節機構の従来例を示す要部断面図、図３（ｂ）は図３（ａ）の一点鎖線Ａで囲った部分の拡大図である。
これらの図において、１はＬＣＤテスタ本体、１ａはテスタ本体の側面に形成された凹部からなるキーボード収納部である。
【０００３】
２は第１部材（キーボード載置台）であり、キーボード収納部１ａの下方に両端がテスタ本体１に固定された支軸３により端部付近が回動自在に軸支されている。
４はキーボード載置台２上に固定されたキーボード、５は第１部材２の端部に固定されたブロックである。
【０００４】
６は断面がコ字状に形成されたストッパ金具であり、一端の内側にはストッパ６ａが固定され、他端の外側はスペーサ７（図２（ｂ）参照）を介してネジ８によりテスタ本体を構成する支持台９に固定されている。
図３はテスタ本体１に収納されていた第１部材（キーボード載置台）２が支軸３を回転中心として軌跡Ｂ，Ｃに示すように回転し、ブロック５の上部がストッパ６ａの下部に当接し水平に保持された状態を示している。
【０００５】
なお、角度調節機構の先行技術として例えば下記の特許文献に示されたものがある。
【０００６】
【特許文献１】特開平４−０３７７１２号公報
【特許文献２】特開平８−３０５４６３号公報
【特許文献３】特開平１０−０４４４７号公報
【特許文献４】特開２０００−３７２０３６号公報
【発明の開示】
【発明が解決しようとする課題】
【０００７】
ところで、上述した従来の角度調節機構においては、次のような問題があった。
キーボード載置台２を床と平行に調節する為、ストッパ金具６を取り付ける際にスペーサ（樹脂製）７を条件に合わせて適宜挿入することでストッパ６ａの高さを上下させている。
【０００８】
即ち、キーボード４を使用位置にした際、ブロック５がストッパ６ａで止まることで保持される。スペーサ７はたとえば板厚０．５ｍｍ程度とされ、枚数を増減させることで調整を行っている。
【０００９】
しかし、狭いスペース内でスペーサ７を増減させるため、調節するのに多くの時間がかかってしまい、スペーサの板厚分で調整を行う為、更に微調節が要求される場合困難になる。また、現地の床条件により個々にスペーサ７を増減させて調節する為、余分にスペーサを用意していなければならず、部品管理が面倒でコスト増要因になる。
【００１０】
本発明は、上記問題点を解決するためになされたもので、狭い箇所に内蔵することができ、微調整が可能な構造とし、納入先での部品の取り付け取外し作業をなくすと共に部品点数を削減した角度調節機構を実現することを目的としている。
【課題を解決するための手段】
【００１１】
本発明は上記問題点を解決するためになされたもので、請求項１記載の角度調節機構の発明においては、
端部付近が軸支されて回動自在に保持された第１部材と、
該第１部材の端部に当接して前記第１部材を所定の角度で保持する第２部材と、
からなり、
前記当接部は前記第１部材に固定された傾斜辺を有するブロックと前記第２部材に固定された傾斜辺を有するストッパで構成され、
前記ストッパとブロックは傾斜辺を合わせたときに対向する他方の辺が平行となるように形成され、
前記第１部材と第２部材の当接部の少なくとも一方をスライドさせ、前記ストッパとブロックの前記平行面の距離を変化させることにより前記所定の角度を可変としたことを特徴とする。
【発明の効果】
【００１５】
以上説明したことから明らかなように本発明によれば、次のような効果がある。
第１部材と第２部材の当接部の少なくとも一方をスライドさせて第１部材を所定の角度で保持するので調整が簡単であり、第１部材に固定された傾斜を有するブロックと記第２部材に固定された傾斜を有するストッパは矩形の板を所定の角度で分割して形成すれば良いので加工が簡単である。
【００１６】
また、ストッパが固定された第２部材は支持部材に形成された長穴に沿ってスライド可能に固定したので高さの調整が簡単である。
【発明を実施するための最良の形態】
【００１７】
図１（ａ，ｂ）は本発明の一実施例を示す角度調節機構の要部断面図であり、図１（ｂ）は図１（ａ）の一点鎖線Ａで囲った部分の拡大図である。図１（ｃ）は第２部材（ストッパ金具）と支持部材の斜視図、図１（ｄ〜ｆ）はストッパ金具をスライドさせた状態を示す正面図である。図１において、図３の従来例と同一要素には同一符号を付している。
【００１８】
また、図１（ａ，ｂ）において、第１部材（キーボード載置台）２が支軸３を回転中心として点線で示す軌跡Ｂ，Ｃに示すように回転し、ブロック５ａの上部がストッパ６ｂの下部に当接し水平に保持された状態も図３と同様である。
【００１９】
本発明では、ブロック５ａ，ストッパ６ｂの一辺に傾斜５ｂ，６ｃを持たせ、この傾斜辺を合わせたときに対向する辺５ｃ，６ｄが平行になるように形成されている。即ち、矩形の板を斜めに切断して作製することができる。ストッパ６ｂはストッパ金具６ａの内側の上辺にねじ（図では３箇所）などにより固定されている。
【００２０】
図１（ｃ）に示すように支持板９ａには２つの長孔９ｂが直列に形成されており、第１部財（ストッパ金具）６ａはねじ８により長孔９ｂの任意の位置に固定される。
この図では省略しているがブロック５ａは図１（ａ，ｂ）に示すように第１部材（キーボード載置台）２の先端に固定されている。
【００２１】
図１（ｄ）はストッパ金具６ａを支持台９ａの右側にスライドさせて固定した状態、図１（ｅ）はストッパ金具６ａを支持台９ａの中央部で固定した状態、図１（ｆ）はストッパ金具６ａを支持台９ａの左側にスライドさせて固定した状態を示している。
即ち、ストッパ金具６ａが中央の位置にあるときに床面と平行であるとすれば、右側または左側にスライドさせるだけで第1部材２の傾斜を調整することができる。
【００２２】
図２（ａ，ｂ）はストッパ６ｂとブロック５ａの傾斜角度とストロークを変更させた他の実施例を示すもので、図２（ａ）は傾斜角を強くして疎調節用としたもの、図２（ｂ）はストッパ６ｂとブロック５ａの傾斜角度を緩くして微調節を可能としたものである。
【００２３】
なお、以上の説明は、本発明の説明および例示を目的として特定の好適な実施例を示したに過ぎない。例えば、支持台の長孔９ｂは２箇所に形成したが１箇所でも３箇所以上に形成しても並列に形成してもよく、ストッパ金具６ａの形状も図示の例に限るものではない。
【００２４】
更に、ブロック５ａとストッパ６ｂの傾斜辺を合わせたときに対向する面が平行でなくても良い。また、ブロック５ａとストッパ６ｂ傾斜辺は右肩上がりに表示したが逆であっても良く、ブロック５ａをスライドさせても良い。
【００２５】
また、実施例ではＬＣＤテスタに適用した例を示したが同様の目的の他の機器に適用しても良い。
従って本発明は、上記実施例に限定されることなく、その本質から逸脱しない範囲で更に多くの変更、変形を含むものである。
【図面の簡単な説明】
【００２６】
【図１】本発明の一実施例を示す角度調節機構の要部を示す断面図、斜視図、正面図である。
【図２】他の実施例を示す角度調節機構の要部を示す正面図である。
【図３】従来の角度調節機構の要部断面図である。
【符号の説明】
【００２７】
１      ＬＣＤテスタ本体
１ａ    凹部（キーボード載置台収納部）
２      第１部材（キーボード載置台）
３      支軸
４      キーボード
５，５ａ  ブロック
６，６ａ  第２部材（ストッパ金具）
７      スペーサ
８      ねじ
９，９ａ  支持台
【図１】
0005034967.tif 000002
【図２】
0005034967.tif 000003
【図３】
0005034967.tif 000004